(57)【要約】【課題】取付部材の取付孔の周縁部の状態の如何に関わらず、取付部材の取付孔よりも小さい取付孔用の被取付体を安定して保持することができる取付補助部材及び照明装置を提供する。【解決手段】取付部材に設けられた取付孔に、該取付孔よりも小さい取付孔用の被取付体を取り付けるべく用いられる取付補助部材１０において、取付補助部材１０の支持板部１２，１２…が一面１２ａ，１２ａ…にて取付孔の天井の上面側の周縁部に面当接しているから、取付孔の周縁部に凹凸がある場合においても、凹凸の影響を軽減することができ、天井の取付孔よりも小さい取付孔用の照明装置を天井に所定の向き及び保持力にて安定して保持することができる。【選択図】図１
2010034020.tif 000002
【特許請求の範囲】
【請求項１】
取付部材に設けられた取付孔に、該取付孔よりも小さい取付孔用の被取付体を取り付けるべく用いられる取付補助部材において、
前記被取付体を支持して前記取付孔に取り付ける支持フレームを備え、
該支持フレームは、前記取付孔の周縁部に面で当接させることにより、支持力を分散させて支持する当接面を有することを特徴とする取付補助部材。
【請求項２】
前記支持フレームは、前記取付孔に内接する多角筒状の基部を備え、該基部の多角筒内に挿通させて支持することにより、前記取付孔よりも小さい取付孔用の被取付体を取り付け可能としていることを特徴とする請求項１に記載の取付補助部材。
【請求項３】
前記基部は、長手方向の複数箇所にて折り曲げ可能な矩形板状を有しており、前記支持フレームは、前記取付孔に挿通させた後に、前記基部の長手方向の一側と他側とを固定することにより前記基部を多角筒状に保持するように構成してあることを特徴とする請求項２に記載の取付補助部材。
【請求項４】
前記支持フレームは、該支持フレームの前記一側に設けられた係合孔と、前記他側に設けられ、該係合孔に係合する係合突起とを備え、該係合突起を前記係合孔に係合させることにより前記基部を多角筒状に保持してあることを特徴とする請求項３に記載の取付補助部材。
【請求項５】
前記基部は六角筒状であることを特徴とする請求項２から４の何れか一つに記載の取付補助部材。
【請求項６】
前記支持フレームは、前記被取付体を取付けるべき開口を有する板状をなし、前記取付孔に挿通させることが可能に構成してあることを特徴とする請求項１に記載の取付補助部材。
【請求項７】
前記支持フレームには、前記開口を挟んだ両側にスリットが設けてあることを特徴とする請求項６に記載の取付補助部材。
【請求項８】
前記支持フレームには、内周端縁に凹部が設けてあることを特徴とする請求項１から７の何れか一つに記載の取付補助部材。
【請求項９】
前記取付孔と前記被取付体の隙間を覆うカバーを備えることを特徴とする請求項１から８の何れか一つに記載の取付補助部材。
【請求項１０】
前記取付孔の周縁部に当接する当接面と、該当接面に立設され、前記支持フレームに係合する係合板部とを有する保持具を備えており、前記支持フレームには、前記保持具の係合板部が係合する係合部が設けてあることを特徴とする請求項１から９の何れか一つに記載の取付補助部材。
【請求項１１】
前記カバーに設けられ、前記支持フレームに係合する係合板部を有する保持具を備えており、前記支持フレームには、前記保持具の係合板部が係合する係合部が設けてあることを特徴とする請求項９に記載の取付補助部材。
【請求項１２】
前記係合部は、前記支持フレームに設けられた矩形孔の対向する２辺から互いに近接する方向に延設された押圧片であることを特徴とする請求項１０または１１に記載の取付補助部材。
【請求項１３】
請求項１から請求項１２の何れか一つに記載の取付補助部材と、
該取付補助部材によって、天井等の取付部材に取付けられる照明装置本体とを備えることを特徴とする照明装置。
【発明の詳細な説明】
【技術分野】
【０００１】
本発明は、天井等の取付部材に設けられた取付孔に、該取付孔よりも小さい取付孔用の照明装置等の被取付体を取付けるべく用いられる取付補助部材、及び該取付補助部材によって取付部材に取付けられる照明装置に関する。
【背景技術】
【０００２】
天井等の取付部材に設けられた取付孔に取付けられる被取付体である照明装置等の装置は、取付孔に挿入され、一般に、板ばね等の取付具により取付部材に固定してある。このような装置を交換する場合に、前記取付孔よりも小さい取付孔用の装置を新たに取付けるときであっても、天井等の取付部材の張り替え工事をすることなく新たな装置に交換することができる取付補助部材が提案されている（例えば、特許文献１参照）。
【０００３】
特許文献１に開示された取付用アジャスターは、円筒状のアジャスター本体の一端開口部に設けられた鍔部と、アジャスター本体の外周壁に設けられ、天井の取付孔の周縁上に係止せしめる複数の取付具とを備えてなり、埋込式照明器具の交換用に用いられている。取付用アジャスターは、該取付用アジャスターの鍔部の内周部分に埋込式照明器具の取付具を係止することにより、埋込式照明器具と取付用アジャスターとを一体化し、さらに取付用アジャスターの取付具を天井の取付孔の周縁上に係止させることにより、天井を鍔部及び取付用アジャスターの取付具にて挟持して埋込式照明器具を天井の取付孔に取付けるように構成してある。
【特許文献１】特開２００６−５４１００号公報
【発明の開示】
【発明が解決しようとする課題】
【０００４】
ところで、一般に、天井は、石膏等の比較的脆い材料製であるため、照明装置の取付け及び取外し作業時に取付具又は工具が天井の取付孔の周縁部に接触することにより、該周縁部に凹凸が生じる虞がある。そして、特許文献１に開示された取付用アジャスターは、天井の取付孔の周縁上に３つの取付具を係止することによる３点支持により埋込式照明器具を支持するように構成してあるから、取付孔の周縁部に凹凸がある場合、照明器具が傾いた状態にて支持されたりして、支持力が特定の箇所に集中するなどして、支持力にばらつきが生じ、支持が不安定になるという虞があった。
【０００５】
本発明は斯かる事情に鑑みてなされたものであり、取付部材の取付孔の周縁部の状態の如何に関わらず、取付部材の取付孔よりも小さい取付孔用の被取付体を安定して支持することができる取付補助部材及び照明装置を提供することを目的とする。
【課題を解決するための手段】
【０００６】
本発明に係る取付補助部材は、取付部材に設けられた取付孔に、該取付孔よりも小さい取付孔用の被取付体を取り付けるべく用いられる取付補助部材において、前記被取付体を支持して前記取付孔に取り付ける支持フレームを備え、該支持フレームは、前記取付孔の周縁部に面で当接させることにより、支持力を分散させて支持する当接面を有することを特徴とする。
【０００７】
本発明にあっては、取付部材に設けられた取付孔の周縁部に当接する当接面を有しているから、前記取付孔の周縁部に凹凸がある場合においても、前記周縁部に面にて当接させることにより凹凸の影響を軽減することができ、取付部材の取付孔よりも小さい取付孔用の被取付体を取付部材に所定の向き及び支持力にて安定して支持することができる。
【０００８】
本発明に係る取付補助部材は、前記支持フレームは、前記取付孔に内接する多角筒状の基部を備え、該基部の多角筒内に挿通させて支持することにより、前記取付孔よりも小さい取付孔用の被取付体を取り付け可能としていることを特徴とする。
【０００９】
本発明にあっては、取付孔に内接する多角筒状の基部を備えることにより、多角筒の内接円と外接円の径の差を利用して、取付孔よりも小さい取付孔用の被取付体を取り付けることが可能となる。
【００１０】
本発明に係る取付補助部材は、前記基部は、長手方向の複数箇所にて折り曲げ可能な矩形板状を有しており、前記支持フレームは、前記取付孔に挿通させた後に、前記基部の長手方向の一側と他側とを固定することにより前記基部を多角筒状に保持するように構成してあることを特徴とする。
【００１１】
本発明にあっては、前記取付孔に挿通させた後に、長手方向の複数箇所にて折り曲げ可能な矩形板状を有する基部を折り曲げ、長手方向の一側と他側とを固定することにより、前記基部を多角筒状に保持することができるから、取付孔の支持フレームの当接面が当接する側の逆側から支持フレームを取付孔に取付けることができ、例えば、天井の取付孔に取付けられるダウンライト等の照明装置を天井の下側（部屋側）から取付けることが可能となり、照明装置の取替作業を容易に行うことができる。
【００１２】
本発明に係る取付補助部材は、前記支持フレームは、該支持フレームの前記一側に設けられた係合孔と、前記他側に設けられ、該係合孔に係合する係合突起とを備え、該係合突起を前記係合孔に係合させることにより前記基部を多角筒状に保持してあることを特徴とする。
【００１３】
本発明にあっては、支持フレームの基部の長手方向の一側に設けられた係合孔に他側に設けられた係合突起を係合させて前記基部を多角筒状にしているから、工具を用いることなく、支持フレームを支持部材に取付けることができる形状にすることができ、作業性が良い。
【００１４】
本発明に係る取付補助部材は、前記基部は六角筒状であることを特徴とする。
【００１５】
本発明にあっては、前記支持フレームの基部を六角筒状にしているから、例えば、略円柱形状を有する照明装置である所謂ダウンライトの交換時において、円形状である取付孔にダウンライトを適切に安定して支持することが可能となる。
【００１６】
本発明に係る取付補助部材は、前記支持フレームは、前記被取付体を取付けるべき開口を有する板状をなし、前記取付孔に挿通させることが可能に構成してあることを特徴とする。
【００１７】
本発明にあっては、支持フレームを板状にしてあるから、取付孔に応じて適切に支持フレームを形成することにより、取付孔の周縁部の略全周に亘って支持フレームを面にて当接させることが可能となり、前記取付孔の周縁部に凹凸がある場合においても、簡易な構成にて、取付部材の取付孔よりも小さい取付孔用の被取付体を安定して支持することができる。また支持フレームを取付孔に支持フレームの当接面が当接する側の逆側から挿通させることができるようにしてあるから、例えば、天井の取付孔に取付けられるダウンライト等の照明装置を天井の下側（部屋側）から取付けることが可能となり、照明装置の取替作業を容易に行うことができる。さらに支持フレームを板状にしてあるから、天井の板厚が薄い場合にも対応することが可能となる。
【００１８】
本発明に係る取付補助部材は、前記支持フレームには、前記開口を挟んだ両側にスリットが設けてあることを特徴とする。
【００１９】
本発明にあっては、支持フレームに開口を挟んだ両側にスリットを設けているから、取付孔に挿通させるべく、これらのスリットに沿って支持フレームを容易に折り曲げることができる。
【００２０】
本発明に係る取付補助部材は、前記支持フレームには、内周端縁に凹部が設けてあることを特徴とする。
【００２１】
本発明にあっては、支持フレームの内周端縁に凹部を設けているから、取付孔に取付けるべく被取付体に設けてある取付具を前記凹部に係合させることにより、位置決めを容易にすることができるとともに、被取付体を取付補助部材に安定して支持することができる。
【００２２】
本発明に係る取付補助部材は、前記取付孔と前記被取付体の隙間を覆うカバーを備えることを特徴とする。
【００２３】
本発明にあっては、カバーにより取付孔及び被取付体間の隙間を覆っているから、美観に資する。
【００２４】
本発明に係る取付補助部材は、前記取付孔の周縁部に当接する当接面と、該当接面に立設され、前記支持フレームに係合する係合板部とを有する保持具を備えており、前記支持フレームには、前記保持具の係合板部が係合する係合部が設けてあることを特徴とする。
【００２５】
本発明にあっては、保持具の係合板部を支持フレームに設けた係合部に取付部材に設けられた取付孔の支持フレームの当接面が当接する側の逆側から係合させているから、保持具及び支持フレームにより取付部材を挟持して支持フレームが取付孔から外れないように保持されることになり、被取付体を天井等の取付部材に取り付けるときに支持フレームが取付部材の取付孔から外れないように保持することができる。係合により支持フレームを固定しているから、工具が不要であり、作業性が良い。また、係合部を適切に設けることにより、支持フレームを取付孔の適切な位置に保持することが可能となる。
【００２６】
本発明に係る取付補助部材は、前記カバーに設けられ、前記支持フレームに係合する係合板部を有する保持具を備えており、前記支持フレームには、前記保持具の係合板部が係合する係合部が設けてあることを特徴とする。
【００２７】
本発明にあっては、カバーに設けられた保持具を支持フレームに設けた係合部に係合させているから、支持フレーム及びカバーにより取付部材を挟持して支持フレームが取付孔から外れないように保持されることになり、被取付体を天井等の取付部材に取付けるときに支持フレームが取付部材の取付孔から外れないように保持することができる。係合により支持フレームを固定しているから工具が不要であり、作業性が良い。また、カバーに保持具を設けているから、作業中に保持具を紛失することを防止することができ、作業性が向上する。そして、係合部を適切に設けることにより、支持フレームを取付孔の適切な位置に保持することが可能となる。
【００２８】
本発明に係る取付補助部材は、前記係合部は、前記支持フレームに設けられた矩形孔の対向する２辺から互いに近接する方向に延設された押圧片であることを特徴とする。
【００２９】
本発明にあっては、前記支持フレームに設けられた矩形孔の対向する２辺から互いに近接する方向に延設された押圧片を係合部として用いており、前記矩形孔に係合板部を押し込むことにより押圧片が押し上げられ、この力の反作用として押圧片の互いに近接する方向を含む力が係合板部に作用するから、保持具と支持フレームとを確実に固定することができる。
【００３０】
本発明の照明装置は、前述の発明に記載の取付補助部材と、該取付補助部材によって、天井等の取付部材に取付けられる照明装置本体とを備えることを特徴とする。
【００３１】
本発明にあっては、取付部材の取付孔の周縁部の状態の如何に関わらず、取付部材の取付孔よりも小さい取付孔用の照明装置本体を安定して支持することができる。また、照明装置本体の径よりも大きな径の取付孔であっても、照明装置本体を取り付けることができ、照明装置の汎用性が向上する。
【発明の効果】
【００３２】
本発明によれば、取付部材の取付孔の周縁部の状態の如何に関わらず、取付部材の取付孔よりも小さい取付孔用の被取付体を安定して支持することができる。
【発明を実施するための最良の形態】
【００３３】
以下、本発明をその実施の形態を示す図面に基づいて詳述する。本発明に係る取付補助部材として、取付部材である天井に設けられた取付孔よりも小さい取付孔用の被取付体であるダウンライト等の照明装置を取付けるべく用いられる取付補助部材を例として、以下説明する。
（実施の形態１）
図１は、本発明の実施の形態１に係る取付補助部材１０の分解斜視図である。図において１は、支持フレームである。図２は、支持フレーム１の模式的平面図である。図３は、図２の III−III 線による部分拡大断面図である。なお、図２中に、取付部材である天井に設けられた取付孔１１０ａ及び被取付体である照明装置本体が取付けられるべき取付孔１２０ａを夫々二点鎖線にて示している。
【００３４】
支持フレーム１は、図１及び図２に示すように、六角筒状の基部１１と、該基部１１の一側に沿って、基部１１に略直交する方向に設けられた複数（図において６つ）の支持板部１２，１２…とを備えてなる。
【００３５】
基部１１は、図２に示すように、略矩形板状の７つの側壁１１ａ，１１ｂ，１１ｃ，１１ｄ，１１ｅ，１１ｆ，１１ｇを有している。支持フレーム１の長手方向の一側の側壁１１ａと支持板部１２との連結部には、２つの矩形状の係合孔１３ａ，１３ａが該連結部に沿って適長離隔して設けてある。支持フレーム１の他側の側壁１１ｇは、他の６つの側壁１１ａ，１１ｂ，１１ｃ，１１ｄ，１１ｅ，１１ｆよりも小さい矩形状を有しており、図３に示すように、側壁１１ｇの長手方向に沿った一側から幅方向に延びる２つの係合突起１３ｂ，１３ｂが適長離隔して設けてある。支持フレーム１は、図３に示すように、支持フレーム１の一側の側壁１１ａに他側の側壁１１ｇを重ね合せた状態にて、係合孔１３ａ，１３ａに係合突起１３ｂ，１３ｂを係合させることにより、基部１１を六角筒状に保持するようにしてある。
【００３６】
支持フレーム１の内周縁である基部１１と支持板部１２との連結部には、複数の凹部１４，１４…が３等配をなして設けてある。凹部１４，１４…には、後述する被取付体の取付具である板ばねが当接される。
【００３７】
支持板部１２，１２…は、図２に示すように、側壁１１ａ，１１ｂ，１１ｃ，１１ｄ，１１ｅ，１１ｆの長手方向長さに略等しい底辺を有する台形状であり、後述の如く、取付部材に設けられた取付孔１１０ａの一側の周縁部に当接させるべく、基部１１の側の一面（当接面）１２ａ，１２ａ…を平面にしてある。一つ置きの支持板部１２，１２…の略中央には、係合部である押圧片１５，１５…が夫々設けてある。押圧片１５，１５…は、支持板部１２，１２…の略中央に設けられた矩形孔１５ａ，１５ａ…の対向する２辺から互いに近接する方向に延設されている。この押圧片１５は、例えば、支持板部１２の略中央を略Ｈ字状に切欠いて、切り出された矩形状の板片を折り曲げることにより形成される。なお、凹部１４，１４…が設けられた支持板部１２，１２…と押圧片１５，１５…が設けられた支持板部１２，１２…とが交互になるようにしてある。
【００３８】
この支持フレーム１は、例えば、金属製であり、一枚板をレーザーにより所定の形状に切り出したのち、基部１１と支持板部１２とが略直角をなすように折り曲げ、さらに基部１１を長手方向の複数箇所にて折り曲げることにより、以上述べた形状にしてある。なお、支持フレーム１は金属製に限定されず、また加工方法は切削加工に限定されない。
【００３９】
このような支持フレーム１は、図２中に二点鎖線にて示している取付部材に設けられた取付孔１１０ａ及び被取付体が取付けられるべき取付孔１２０ａの直径に応じて、適切に設定してある。基部１１は、取付孔１１０ａに略内接し、被取付体である照明装置本体が取付けられるべき取付孔１２０ａに略外接するように、かつ取付孔１１０ａよりも外形寸法が小さくなるように決定してある。支持板部１２，１２…は、取付孔１１０ａの周縁部に当接可能なように、また支持板部１２，１２…に設けられた矩形孔１５ａ，１５ａ…が取付孔１１０ａの内側に位置するように決定してある。矩形孔１５ａ，１５ａ…は、取付孔１１０ａに内接するようにしてあることが好ましい。これにより支持フレーム１を取付孔１１０ａの適切な位置、即ち取付孔１１０ａに同心をなして保持することができる。
【００４０】
支持フレーム１の押圧片１５，１５…には、支持フレーム１を取付部材に保持すべく、保持具２，２…が係合される。図４は、保持具２の模式的外観斜視図である。保持具２は、押圧片１５，１５に係合する係合板部２１と、該係合板部２１の一端から直交する方向に延設された延設部２２とを備えてなり、略Ｌ字状を有している。延設部２２の当接面である一面２２ａ（係合板部２１の側の面）は、後述の如く、取付孔の他側の周縁部に当接させるべく、平面にしてある。なお、係合板部２１の長さは、取付部材の板厚よりも大となるように決定してある。例えば、取付部材である天井の板厚として５〜２５（ｍｍ）の範囲を想定している場合、係合板部２１の長さは、例えば、２５（ｍｍ）より大である３０（ｍｍ）にする。
【００４１】
取付補助部材１０は、取付部材に設けられた取付孔１１０ａ及び被取付体間の隙間を覆うべきカバー３を備えている。図５は、カバー３の模式的平面図である。図６は、図５のVI−VI線による模式的断面図である。なお、図５中に、取付部材に設けられた取付孔１１０ａ及び被取付体が取付けられるべき取付孔１２０ａを夫々二点鎖線にて示している。また図６中に、取付部材である天井１１０及び天井１１０に設けられた取付孔１１０ａを夫々二点鎖線にて示している。
【００４２】
カバー３は、中央に円形の開口３１ａを有する円板部３１と、該円板部３１の外周縁から径方向に全周に亘って延設された環状部３２と、該環状部３２の外周縁に全周に亘って立設された突設部３３とを備えている。
【００４３】
円板部３１の内周縁には、周方向に３等配をなして矩形状の切欠き３１ｂ，３１ｂ…が設けてある。なお、切欠き３１ｂ，３１ｂ…は、被取付体の取付具の形状に応じて決定してある。
【００４４】
環状部３２は、円板部３１と略平行をなす板状であり、図中に二点鎖線にて示す、取付部材である天井１１０に設けられた取付孔１１０ａの直径よりも大きな直径を有するようにしてある。環状部３２と円板部３１との連結部３２ａは、緩やかに傾斜させてある。これにより、被取付体を円板部３１に当接させたときに、カバー３と被取付体との境界部分を目立たなくすることができる。なお、環状部３２の幅は、取付孔１１０ａの周縁端から径方向に適長に亘って環状部３２が取付部材を覆うように適切に決定してある。
【００４５】
突設部３３は、環状部３２の外周縁に円板部３１の側に立設してあり、突設部３３の端部は、円板部３１と略面一になるようにしてある。この突設部３３により、図６に示すように、環状部３２が取付部材に設けられた取付孔１１０ａの周縁部に離隔して対向することになる。なお、この突設部３３の高さは、前述した保持具２，２…の延設部２２の厚みよりも大となるようにしてある。
【００４６】
以上のように構成された取付補助部材１０は、取付部材である天井１１０に設けられた取付孔１１０ａに取付けられる。図７は、取付補助部材１０の取付状態を示す模式的平面図である。図８は、図７のVIII−VIII線による部分拡大断面図である。
【００４７】
支持フレーム１は、係合孔１３ａ，１３ａと係合突起１３ｂ，１３ｂとの係合を解除させた状態にて、天井１１０に設けられた取付孔１１０ａに他端側（天井１１０の下面１１０ｃの側）から挿通させたのち、係合孔１３ａ，１３ａに係合突起１３ｂ，１３ｂを係合させ、支持板部１２，１２…の当接面である一面１２ａ，１２ａ…を取付孔１１０ａの一端側（天井１１０の上面１１０ｂの側）の周縁部に当接させて、取付孔１１０ａに支持させてある。
【００４８】
支持フレーム１を取付孔１１０ａに支持した状態にて、保持具２，２…を天井１１０の下面１１０ｃの側から係合板部２１，２１…を上側にして支持フレーム１の矩形孔１５ａ，１５ａ…に押し込む。これにより押圧片１５，１５…が押し上げられ、互いに離反する方向の力が加えられることにより変形する。この反作用として押圧片１５，１５…の互いに近接する方向を含む力が押圧片１５，１５…から係合板部２１，２１…に作用し、押圧片１５，１５…と係合板部２１，２１…とが係合する。この結果、保持具２，２…及び支持フレーム１により天井１１０を挟持して支持フレーム１が取付孔１１０ａから外れないように支持されることになる。
【００４９】
この状態において、仮に保持具２の延設部２２を下方に引っ張る力がかかったとしても、押圧片１５と保持具２の係合板部２１との係合が解除されることはない。なお、後述するように、取り外しの際には取付孔（六角筒）から手を入れて、ひっかかりを抑制するように押圧片１５を開きながら保持具２を下方に抜けばよい。
【００５０】
一方、カバー３は、予め被取付体に嵌め込まれている。被取付体を、支持フレーム１の六角筒状の基部１１の内側を挿通させて支持フレーム１に取付けたとき、カバー３は、図８に示すように、天井１１０の下面１１０ｃに突設部３３にて当接されることになる。
【００５１】
この取付補助部材１０は、天井１１０に設けられた取付孔１１０ａよりも小さい取付孔１２０ａに適した外形寸法のダウンライト等の照明装置を取付孔１１０ａに取付けるべく用いられる。図９は、実施の形態１に係る取付補助部材１０を用いて天井１１０の取付孔１１０ａに取付けられた照明装置１００の取付状態を示す外観斜視図であり、図１０は、分解斜視図である。図１１は、図９のXI−XI線による模式的断面図である。なお図１１において、説明の便宜上、照明装置１００は、一部を部分断面にて示す側面図にて示している。図１２は、図１１の照明装置１００の取付補助部材１０及び天井１１０への取付部分の拡大断面図である。
【００５２】
図において４は、アルミニウム等の金属製の放熱器４である。放熱器４は、図１１に示すように、略円板状の伝熱板４１を有しており、伝熱板４１の一面４１ａには、矩形板状の複数の放熱板４２，４２…が平行をなして立設してあり、これら複数の放熱板４２，４２…の略中央を通り、該複数の放熱板４２，４２…に直交するように連結板（図示せず）が立設してある。
【００５３】
伝熱板４１の周縁部には、複数のネジ穴４１ｄ，４１ｄ…が設けてある。また、放熱器４の伝熱板４１の周縁部には、矩形板状の固定部４３，４３…が伝熱板４１の径方向に直交するように、周方向に３等配をなして立設してある。固定部４３，４３…は、複数の放熱板４２，４２…に夫々連設されて一体的に構成されており、一つの固定部４３が放熱板４２，４２…に直角をなして連設されるように配してある。固定部４３，４３…の外面４３ａ，４３ａ…は平面に形成してあり、固定部４３には、ネジ穴４３ｂ，４３ｃが上下に並設してある。なお、放熱器４は、ダイキャストにより一体成形してもよいし、押出加工又は切削加工により形成してもよい。
【００５４】
放熱器４の伝熱板４１の他面４１ｂには、光源としての複数（図において６つ）のＬＥＤモジュール５，５…が周方向に等配をなして取付けてある。ＬＥＤモジュール５は、矩形のセラミック（例えば、酸化アルミニウム）基板の一面の中央部に密集して実装された複数のＬＥＤ素子を、蛍光体が分散された封止樹脂により封止してなる。なお、ＬＥＤモジュール５，５…と伝熱板４１との間には、熱伝導シート又はグリースが介装してある。これらＬＥＤモジュール５，５…の点灯に伴い該ＬＥＤモジュール５，５…にて発生する熱は、放熱器４の伝熱板４１、放熱板４２，４２…及び連結板に伝達され、自然対流により外部へ放散されることになる。
【００５５】
放熱器４の伝熱板４１の他面４１ｂの側には、反射板６が設けてある。反射板６には、該反射板６を放熱器４に取付けたときにＬＥＤモジュール５，５…に対応する位置に、ＬＥＤモジュール５，５…を取り囲むように、略半球状の凹部を有する複数の反射部６１，６１…が形成してある。
【００５６】
反射板６には、反射板６を放熱器４に取付けたときに伝熱板４１に設けられたネジ穴４１ｄ，４１ｄ…に対応する位置に、略円柱状の凹部６２，６２…が設けてある。また、反射板６の周縁には、周壁６３が立設してあり、反射板６は周壁６３の端面を伝熱板４１に当接させて、ネジ６５，６５…を反射板６の凹部６２，６２…に設けられた貫通孔に挿通させ、伝熱板４１に設けられたネジ穴４１ｄ，４１ｄ…に螺合させることにより放熱器４に固定してある。ＬＥＤモジュール５，５…からの光は、この反射板６の反射部６１，６１…にて反射されて、ＬＥＤモジュール５，５…の光軸となす角度が所定角度以下になる範囲に含まれることになり、照明装置１００の直下照度が強くなるように配光特性が制御された光が照明装置１００から出射されることになる。
【００５７】
放熱器４の伝熱板４１の側には、フレーム７が設けてある。フレーム７は、円筒部７１と、円筒部７１の一端から直交する方向に径方向に延設された環状の鍔部７２とを有してなる。円筒部７１には、周方向の３カ所から鍔部７２の逆側に延設された延設部７１ａ，７１ａ…が設けてあり、該延設部７１ａ，７１ａ…には、貫通孔７１ｂ，７１ｂ…が設けてある。なお、貫通孔７１ｂ，７１ｂ…は、フレーム７を放熱器４に取付けたときに放熱器４の固定部４３，４３…に設けられたネジ穴４３ｃ，４３ｃ…に対応する位置に夫々設けてある。
【００５８】
鍔部７２には、円筒部７１と略同一直径の環状の溝７２ｃが同心をなして設けてある。これは、フレーム７を射出成形により製造する際に、溶融樹脂が固まる速度が肉厚に応じて異なることに起因して生じる凹みであるヒケが万一生じた場合に、該ヒケを目立たなくするためである。また、鍔部７２の外周縁には、円筒部７１に平行をなして全周に亘って立設された突設部７５が設けてある。
【００５９】
このフレーム７は、円筒７１の他端の側に反射板６を内嵌させて、延設部７１ａ，７１ａ…を放熱器４の固定部４３，４３…の外面４３ａ，４３ａ…に当接させた状態にて、ネジ７３，７３…を貫通孔７１ｂ，７１ｂ…に挿通させ、ネジ穴４３ｃ，４３ｃ…に螺合させることにより放熱器４に固定してある。フレーム７の鍔部７２の内面には、ＬＥＤモジュール５，５…を覆うように、円板状の樹脂製の透過板７０が取付けてある。透過板７０は、例えば、ポリカーボネート樹脂製である。
【００６０】
また、放熱器４には、複数の板ばね８，８…が設けてある。板ばね８は、ステンレス鋼等の金属製であり、細長い矩形板を屈曲させて、図１１に示すようにＶ字状に形成してある。板ばね８の一側には、矩形板状の固定部８１が設けてあり、屈曲部８２を挟んだ板ばね８の他側には、固定部８１の側に凸状に湾曲し、板ばね８の長手方向に沿う断面形状が円弧状である第１の押圧部８３及び第２の押圧部８４が連設してある。また、板ばね８の他側の端部には、第２の押圧部８４に連設された腕部８５の端部から該腕部８５に角度をなして固定部８１の逆側に折り曲げられてなる抜止部８６が設けてある。
【００６１】
このような板ばね８，８…は、ネジ４４，４４…を板ばね８，８…の固定部８１，８１…に設けられた貫通孔に挿通させ、放熱器４の固定部４３，４３…に設けられたネジ穴４３ｂ，４３ｂ…に螺合させることにより、固定部４３，４３…の外面４３ａ，４３ａ…に板ばね８，８…の固定部８１，８１…を密着させた状態にて、周方向に３等配をなして放熱器４に固定してある。
【００６２】
放熱器４の外側から二枚目の放熱板４２，４２には、取付板９１，９１が夫々放熱板４２，４２と平行をなしてネジ９２，９２…により固定してある。取付板９１，９１の上部には、該取付板９１，９１に直角をなして円板９３が取付けてある。この円板９３は、照明装置１００、特に放熱板４２，４２…の間に埃等の異物が入り込むことを防止すべく設けてある。
【００６３】
このような照明装置１００を、該照明装置１００の取付けに適した取付孔の直径よりも大きい直径の取付孔１１０ａに取付ける場合（例えば、照明装置１００が、直径が１２５ｍｍである取付孔に適する外形寸法を有しており、照明装置１００が新たに取付けられる天井１１０に設けられた取付孔１１０ａの直径が１５０ｍｍである場合）に、実施の形態１に係る取付補助部材１０が用いられる。
【００６４】
天井１１０の取付孔１１０ａには、前述した如く、取付補助部材１０の支持フレーム１が、取付孔１１０ａの一端側（天井１１０の上面１１０ｂの側）の周縁部に支持フレーム１の支持板部１２，１２…の一面１２ａ，１２ａ…を当接させた状態にて、保持具２，２…により支持フレーム１が取付孔１１０ａから外れないように取付孔１１０ａに取付けてある。
【００６５】
一方、取付補助部材１０のカバー３は、照明装置１００の板ばね８，８…及びフレーム７の鍔部７２の間に予め嵌め込む。この嵌め込みは、照明装置１００の板ばね８，８…を放熱器４の側に押し付けた状態にて、カバー３を照明装置１００の放熱器４の側から挿通させることによりなされる。なお、カバー３の円板部３１に設けられた切欠き３１ｂ，３１ｂ…と板ばね８，８…との周方向位置が一致するように、カバー３を照明装置１００に取付けている。
【００６６】
この状態にて、照明装置１００は、板ばね８，８…を放熱器４の側に押し付けた状態にて、取付孔１１０ａに支持されている支持フレーム１の基部１１に、取付孔１１０ａの他端側（天井１１０の下面１１０ｃの側）から挿入し、板ばね８，８…から手を離して照明装置１００をさらに押し込むことにより、図に示す如く、取付補助部材１０を介して天井１１０の取付孔１１０ａに固定される。このとき、図９に示すように、支持フレーム１に設けられた凹部１４，１４…と板ばね８，８…との周方向位置が一致するように、照明装置１００を取付補助部材１０に取付けている。
【００６７】
より詳しくは、支持フレーム１の凹部１４，１４…への取付時に放熱器４の側に押し付けられ、弾性変形した板ばね８が、押付力の解除に伴い自然状態に復帰しようとしたときに、図１１及び図１２に示すように、板ばね８の第１の押圧部８３が円弧の中途にて凹部１４に斜め上側から当接する。これにより、天井１１０の設置面に対して垂直方向である下方向の分力が作用して天井１１０の上面１１０ｂが該上面１１０ｂに面当接された支持フレーム１の支持板部１２を介して第１の押圧部８３により下方向に押圧されると共に、照明装置１００に上方向の分力が作用して天井１１０の下面１１０ｃがカバー３の突設部３３を介してフレーム７の鍔部７２により上方向に押圧されることになる。この結果、照明装置１００は天井１１０を支持フレーム１の支持板部１２及びカバー３により挟持した状態にて天井１１０に安定して固定されることになる。
【００６８】
なお、取付補助部材１０を取り外す場合は、まずカバー３の環状部３２と円板部３１との連結部３２ａからフレーム７との間をこじあけ、開いた隙間に指をかけてフレーム７を下方に引き降ろせば、板ばね８，８…が途中まで抜けてくる。次に板ばね８，８…を放熱器４の方へ倒しながらゆっくりと取付孔１１０ａから抜き取れば、カバー３を伴ったまま照明装置１００を取り外すことができる。支持フレーム１を取り外すには、押圧片１５が噛み込まないようにやや開きながら保持具２を引き抜き、係合孔１３ａから係合突起１３ｂを外して支持フレーム１の六角筒を開いて取付孔から取り出せばよい。
【００６９】
このように取付補助部材１０の支持板部１２，１２…が一面１２ａ，１２ａ…にて取付孔１１０ａの天井１１０の上面１１０ｂ側の周縁部に面当接しているから、取付孔１１０ａの周縁部に凹凸がある場合においても、凹凸の影響を軽減することができ、天井１１０の取付孔１１０ａよりも小さい取付孔１２０ａ用の照明装置１００を天井１１０に所定の向き及び支持力にて安定して支持することができる。
【００７０】
また六角筒状の基部１１に略直角をなす６つの支持板部１２，１２…を取付孔１１０ａの天井１１０の上面１１０ｂ側の周縁部に一面１２ａ，１２ａ…にて当接させているから、取付孔１１０ａの周縁部に略等配をなして均等に支持板部１２，１２…を面当接させることができ、取付孔１１０ａの周縁部に凹凸がある場合、強度が低下している場合においても、天井１１０の取付孔１１０ａよりも小さい取付孔１２０ａ用の照明装置１００を安定して支持することができる。
【００７１】
さらに支持フレーム１の内周端縁に凹部１４，１４…を設けているから、取付孔１１０ａに取付けるべく照明装置１００に設けてある板ばね８，８…を凹部１４，１４…に係合させることにより、位置決めを容易にすることができるとともに、照明装置１００を取付補助部材１０に安定して支持することができる。
【００７２】
取付部材である天井１１０が石膏等の比較的脆い材料製である場合、以上のように構成された取付補助部材１０を用いることにより、照明装置１００から天井１１０に付加される力が取付補助部材１０を介して取付孔１１０ａの周縁部に分散して作用するから、取付孔１１０ａの損傷を防止することができ、取付補助部材１０を取付孔１１０ａの補強部材としても用いることができる。
【００７３】
また、前述したように、取付孔１１０ａに天井１１０の下面１１０ｃの側から挿通させることが可能に構成してあるから、照明装置１００の取替作業を容易に行うことができる。
【００７４】
支持フレーム１の基部１１の長手方向の一側（側壁１１ａの側）に設けられた係合孔１３ａ，１３ａに他側（側壁１１ｇの側）に設けられた係合突起１３ｂ，１３ｂを係合させて基部１１を多角筒状にしているから、工具を用いることなく、支持フレーム１を天井１１０に取付けられる形状にすることができ、作業性が良い。
【００７５】
保持具２，２…の係合板部２１を支持フレーム１に設けた押圧片１５，１５…に天井１１０に設けられた取付孔１１０ａの天井１１０の下面１１０ｃの側から係合させているから、保持具２，２…及び支持フレーム１により天井１１０を挟持して支持フレーム１が取付孔１１０ａから外れないように保持することができる。これにより、照明装置１００を天井１１０に取り付けるときに支持フレーム１が取付孔１１０ａから天井１１０の裏側に抜けてしまわないようにすることができる。係合により支持フレーム１を固定しているから、工具が不要であり、作業性が良い。
【００７６】
また、カバー３により取付孔１１０ａ及び照明装置１００間の隙間を覆っているから、美観に資する。
【００７７】
なお、本実施の形態において、支持フレーム１の基部１１を六角筒状にしてあるが、これに限定されず、多角筒状であればよい。つまり、多角筒状の基部を用いることにより、多角筒の内接円の径と外接円の径との差を利用して、取付孔よりも小さい取付孔用の被取付体を取付孔に取り付けることができる。また、複数種類の多角筒を選択できるように、基部の折り曲げ構造を構成することにより、異なる径の取付孔と被取付体の様々な組合せが可能となる。
【００７８】
また、本実施の形態において、支持フレーム１の基部１１を六角筒状に保持すべく、係合孔１３ａ，１３ａ及び係合突起１３ｂ，１３ｂを係合させる構成にしてあるが、これに限定されず、他の係合手段を有する構成にしてもよいし、ネジ等の固定具により固定する構成としてもよい。
【００７９】
また、本実施の形態において、支持フレーム１を取付孔１１０ａから天井１１０の裏側に抜けてしまわないように支持すべく、保持具２と支持フレーム１に設けた押圧片１５，１５…とを係合させるように構成してあるが、これに限定されず、他の係合手段を有する構成にしてもよいし、ネジ等の固定具により天井１１０に固定する構成としてもよい。
【００８０】
（実施の形態２）
図１３は、本発明の実施の形態２に係る取付補助部材２０の分解斜視図である。図において１６は、支持フレームである。図１４は、支持フレーム１６の模式的平面図である。なお、図１４中に、取付部材に設けられた取付孔１１０ａを二点鎖線にて示している。
【００８１】
支持フレーム１６は、図１４に示すように、中央に円形の開口１６ａを有する円板状である。支持フレーム１６の内周縁には、周方向に３等配をなして矩形状の凹部１６ｂ，１６ｂ…が設けてある。なお、凹部１６ｂ，１６ｂ…には、被取付体の取付具である板ばねが当接される。
【００８２】
支持フレーム１６には、周方向に等配をなして係合部である押圧片１５，１５…が夫々設けてある。押圧片１５，１５…は、取付孔１１０ａに内接するように周方向に等配をなして設けられた矩形孔１５ａ，１５ａ…の対向する２辺から互いに近接する方向に延設されている。
【００８３】
さらに支持フレーム１６には、開口１６ａを挟んだ両側に、径方向にスリット１６ｃ，１６ｃ…が並設してある。その他の構成は、図１から図８に示す実施の形態１と同様であるため、対応する構成部材に同一の参照符号を付して、その構成の詳細な説明を省略する。
【００８４】
以上のように構成された取付補助部材２０は、取付部材である天井１１０に設けられた取付孔１１０ａに取付けられる。図１５は、取付補助部材２０の取付状態を示す模式的平面図である。図１６は、図１５の XVI−XVI 線による部分拡大断面図である。なお、図１６中に、照明装置１００のフレーム７の円筒部７１及び鍔部７２を二点鎖線にて示している。
【００８５】
支持フレーム１６は、スリット１６ｃ，１６ｃ…をきっかけにして軽く曲げた状態にて、天井１１０に設けられた取付孔１１０ａに他端側（天井１１０の下面１１０ｃの側）から挿通させたのち、平板状に戻して、支持フレーム１６の当接面である一面１６ｄを取付孔１１０ａの一端側（天井１１０の上面１１０ｂの側）の周縁部に当接させて、取付孔１１０ａに支持させてある。
【００８６】
支持フレーム１６を取付孔１１０ａに支持した状態にて、実施の形態１に係る取付補助部材１０と同様に、保持具２，２…を天井１１０の下面１１０ｃの側から係合板部２１，２１…を上側にして支持フレーム１６の矩形孔１５ａ，１５ａ…に押し込む。この結果、保持具２，２…及び支持フレーム１６により天井１１０を挟持して支持フレーム１６が取付孔１１０ａから外れないように支持されることになる。
【００８７】
一方、カバー３は、予め被取付体に嵌め込まれている。被取付体を、支持フレーム１６の開口１６ａを挿通させて支持フレーム１６に取付けたとき、カバー３は、図１６に示すように、天井１１０の下面１１０ｃに突設部３３にて当接されることになる。
【００８８】
この取付補助部材２０は、実施の形態１に係る取付補助部材１０と同様に、天井１１０に設けられた取付孔１１０ａよりも小さい取付孔１２０ａに適した外形寸法のダウンライト等の照明装置を取付孔１１０ａに取付けるべく用いられる。図１７は、実施の形態２に係る取付補助部材２０を用いて天井１１０の取付孔１１０ａに取付けられた照明装置１００の取付状態を示す外観斜視図である。照明装置１００は、実施の形態１において述べた照明装置１００と同じであり、構造の詳細な説明及び手順の説明は省略する。なお、支持フレーム１６に設けられた凹部１６ｂ，１６ｂ…と板ばね８，８…との周方向位置が一致するように、照明装置１００を取付補助部材２０に取付けている。
【００８９】
この取付補助部材２０は、支持フレーム１６を板状にしてあるから、支持フレーム１６の一面１６ｄが取付孔１１０ａの天井１１０の上面１１０ｂ側の周縁部の略全周に亘って面当接している。この結果、取付孔１１０ａの周縁部に凹凸がある場合、強度が低下している場合においても、簡易な構成にて、凹凸の影響を軽減することができ、天井１１０の取付孔１１０ａよりも小さい取付孔１２０ａ用の照明装置１００を天井１１０に所定の向き及び支持力にて安定して支持することができる。
【００９０】
取付部材である天井１１０が石膏等の比較的脆い材料製である場合、以上のように構成された取付補助部材２０を用いることにより、照明装置１００から天井１１０に付加される力が取付補助部材２０を介して取付孔１１０ａの周縁部に周方向に略等しく分散して作用するから、取付孔１１０ａの損傷を防止することができ、取付補助部材２０を取付孔１１０ａの補強部材としても用いることができる。
【００９１】
支持フレーム１６の内周縁に凹部１６ｂ，１６ｂ…を設けているから、取付孔１１０ａに取付けるべく照明装置１００に設けてある板ばね８，８…を凹部１６ｂ，１６ｂ…に係合させることにより、位置決めを容易にすることができるとともに、照明装置１００を取付補助部材２０に安定して支持することができる。
【００９２】
また、前述したように、取付孔１１０ａに天井１１０の下面１１０ｃの側から挿通させることが可能に構成してあるから、照明装置１００の取替作業を容易に行うことができる。
【００９３】
さらに支持フレーム１６を板状にしてあるから、天井１１０の板厚が薄い場合（天井材がアルミニウム又はステンレス鋼の一枚構造の場合）にも対応することができる。
【００９４】
保持具２，２…の係合板部２１を支持フレーム１６に設けた押圧片１５，１５…に天井１１０に設けられた取付孔１１０ａの天井１１０の下面１１０ｃの側から係合させているから、保持具２，２…及び支持フレーム１６により天井１１０を挟持して支持フレーム１６が取付孔１１０ａから外れないように保持することができる。この場合において、仮に保持具２の延設部２２を下方に引っ張る力がかかったとしても、押圧片１５と保持具２の係合板部２１との係合が解除されることはない。なお、取り外しの際には取付孔１１０ａから手を入れて、ひっかかりを抑制するように押圧片１５を開きながら保持具２１を下方に抜けばよい。また、取付補助部材２０を取り外す場合は、まずカバー３の環状部３２と円板部３１との連結部（図８における３２ａ）からフレーム７との間をこじあけ、開いた隙間に指をかけてフレーム７を下方に引き降ろせば、板ばね８が途中まで抜けてくる。次に板ばね８を放熱器４の方へ倒しながらゆっくりと取付孔１１０ａから抜き取れば、カバー３を伴ったまま照明装置１００を取り外すことができる。支持フレーム１６を取り外すには、押圧片１５が噛み込まないようにやや開きながら保持具２を引き抜き、支持フレーム１６を取付孔１１０ａから取り出せばよい。これにより、照明装置１００を天井１１０に取り付けるときに支持フレーム１６が取付孔１１０ａから天井１１０の裏側に抜けてしまわないようにすることができる。係合により支持フレーム１６を固定しているから、工具が不要であり、作業性が良い。
【００９５】
また、カバー３により取付孔１１０ａ及び照明装置１００間の隙間を覆っているから、美観に資する。
【００９６】
（実施の形態３）
実施の形態１及び２においては、照明装置を取り付けるときに支持フレームが取付孔１１０ａから外れないようにすべく、取付補助部材の保持具及び支持フレームにより天井１１０を挟持するように構成してあるが、保持具をカバーに取付け、保持具と支持フレームとを係合させることにより、カバーと支持フレームとにより天井１１０を挟持するように構成するようにしてもよい。以下、実施の形態２に係る取付補助部材２０と略同一構成を有する取付補助部材に後者の構成を適用した例について説明する。
【００９７】
図１８は、本実施の形態３に係る取付補助部材３０の支持フレーム１８の模式的平面図である。なお、図１８中に、取付部材に設けられた取付孔１１０ａを二点鎖線にて示している。支持フレーム１８は、図１８に示すように、中央に円形の開口１８ａを有する円板状である。支持フレーム１８には、周方向に等配をなして係合部である係合孔１８ｂ，１８ｂ…が設けてある。なお、係合孔１８ｂ，１８ｂ…は、図示の如く、取付部材に設けられた取付孔１１０ａの周縁上に位置するように形成してある。これにより支持フレーム１８を取付孔１１０ａに同心をなして取付部材に保持することができる。
【００９８】
図１９は、保持具２ａの模式的外観斜視図である。保持具２ａは、支持フレーム１８の係合孔１８ｂに係合する係合板部２３と、該係合板部２３の一端から直交する方向に延設された略矩形板状の延設部２４とを備えてなり、略Ｌ字状を有している。係合板部２３には、図１９に示すように、長孔２３ａが形成してあり、係合板部２３は略Ｕ字形状を有している。係合板部２３は、このように長孔２３ａにより中抜きしてあるから、保持具２ａの係合板部２３を前記取付孔１１０ａに挿入した後に作業者により係合板部２３を板厚方向に容易に折り曲げて、カバー３ａを支持フレーム１８に取り付けることができるので、取付補助部材３０の取付けの作業性が向上する。また、係合板部２３の端部の角を丸くしてあるから、支持フレーム１８の係合孔１８ｂへの挿入をスムーズに行うことができると共に、係合板部２３の折り曲げがさらに容易となり、取付補助部材３０の取付けの作業性がより向上する。
【００９９】
保持具２ａの延設部２４は、保持具２ａの長手方向の一側の端縁を所定の半径Ｒ１に沿うように形成してある。また、延設部２４には、貫通孔２４ｃが設けてある。
【０１００】
図２０は、カバー３ａの模式的平面図である。図２１は、カバー３ａの模式的側面図であり、一部を部分断面にて示している。なお、図中に、取付部材１１０に設けられた取付孔１１０ａを二点鎖線にて示している。
【０１０１】
カバー３ａは、中央に円形の開口３１ａを有する円板部３１と、該円板部３１の内周縁に全周に亘って立設された突設部３４と、円板部３１の外周縁から径方向に全周に亘って延設された環状部３５と、該環状部３５の外周縁に全周に亘って立設された突設部３３とを備えている。
【０１０２】
円板部３１には、周方向に等配をなして貫通孔３１ｃ，３１ｃ…が設けてある。この円板部３１には、前述した保持具２ａ，２ａ…が貫通孔３１ｃ，３１ｃ…の位置にて、固定される。保持具２ａの延設部２４は、該延設部２４の端縁が円板部３１の内周縁に設けられた突設部３４の外面に当接するように、所定の半径Ｒ１が突設部３４の外周の半径に略一致するように決定してある。これにより、保持具２ａをカバー３ａに取付けたときに、保持具２ａが固定位置を中心として回転しないようにすることができ、回り止めが不要となる。カバー３ａの内周縁及び外周縁に突設部３４，３３を設けているから、カバー３ａの剛性を高くすることができ、反りや捩れが生じにくくなる。
【０１０３】
環状部３５は、径方向の内側から外側に向けて緩やかに円板部３１の側に傾斜する板状であり、図中に二点鎖線にて示す、取付部材である天井１１０に設けられた取付孔１１０ａの直径よりも大きな直径を有するようにしてある。環状部３５と円板部３１とは連結部３４ａにより連結してある。なお、環状部３５の幅は、取付孔１１０ａの周縁端から径方向に適長に亘って環状部３５が取付部材を覆うように適切に決定してある。その他の構成は、実施の形態１と同様であるため、対応する構成部材に同一の参照符号を付して、その構成の詳細な説明を省略する。
【０１０４】
以上のように構成された取付補助部材３０は、取付部材である天井１１０に設けられた取付孔１１０ａに取付けられる。図２２は、取付補助部材３０の取付状態を示す模式的平面図である。図２３は、図２２の XXIII−XXIII 線による部分拡大断面図である。なお、図２３中に、照明装置１００のフレーム７の円筒部７１及び鍔部７２を二点鎖線にて示している。
【０１０５】
支持フレーム１８は、軽く曲げた状態にて、天井１１０に設けられた取付孔１１０ａに他端側（天井１１０の下面１１０ｃの側）から挿通させたのち、平板状に戻して、支持フレーム１８の当接面である一面１８ｃを取付孔１１０ａの一端側（天井１１０の上面１１０ｂの側）の周縁部に当接させて、取付孔１１０ａに支持させてある。
【０１０６】
カバー３ａには、延設部２４，２４…の一面２４ａ，２４ａ…をカバー３ａの円板部３１に当接させて、保持具２ａ，２ａ…が予め取付けてある。保持具２ａ，２ａ…は、延設部２４，２４…に設けられた貫通孔２４ｃ，２４ｃ…と、カバー３ａの円板部３１に設けられた貫通孔３１ｃ，３１ｃ…とを整合させた状態にて、リベット等の固定具２５，２５…をこれらの貫通孔２４ｃ，２４ｃ…、３１ｃ，３１ｃ…に挿通させて固定することにより、延設部２４の端縁を円板部３１の内周縁に設けられた突設部３４の外面に当接させた状態にて、カバー３ａに予め一体化してある。なお、本実施の形態においては、固定具２５，２５…を用いて保持具２ａ，２ａ…をカバー３ａに一体化してあるが、これに限定されない。接着により一体化してもよいし、係止手段を保持具２ａ，２ａ…及びカバー３ａに設けて係止により一体化してもよい。
【０１０７】
支持フレーム１８を取付孔１１０ａに支持した状態にて、保持具２ａ，２ａ…が固定されたカバー３ａを天井１１０の下面１１０ｃの側から上方に移動させ、保持具２ａ，２ａ…の係合板部２３，２３…を支持フレーム１８の係合孔１８ｂ，１８ｂ…に挿通させる。この状態にて、保持具２ａ，２ａ…の係合板部２３，２３…を、図２３に矢符にて示す方向に図中に２点鎖線にて示す状態になるまで折り曲げる。この結果、カバー３ａと支持フレーム１８とが保持具２ａ，２ａ…により一体化されるから、カバー３ａ及び支持フレーム１８により天井１１０を挟持して支持フレーム１８が取付孔１１０ａから外れないように支持されることになる。なお、支持フレーム１８に取付けたとき、カバー３ａは、図２３に示すように、天井１１０の下面１１０ｃに突設部３３にて当接されることになる。
【０１０８】
この取付補助部材３０は、実施の形態１及び２に係る取付補助部材と同様に、天井１１０に設けられた取付孔１１０ａよりも小さい取付孔に適した外形寸法のダウンライト等の照明装置を取付孔１１０ａに取付けるべく用いられる。図２４は、実施の形態３に係る取付補助部材３０を用いて天井１１０の取付孔１１０ａに取付けられた照明装置１００の取付状態を示す部分断面拡大図である。照明装置１００は、実施の形態１及び２において述べた照明装置１００と同じであり、構造の詳細な説明及び手順の説明は省略する。
【０１０９】
この取付補助部材３０は、支持フレーム１８を板状にしてあるから、支持フレーム１８の一面１８ｃが取付孔１１０ａの天井１１０の上面１１０ｂ側の周縁部の略全周に亘って面当接している。この結果、取付孔１１０ａの周縁部に凹凸がある場合、強度が低下している場合においても、簡易な構成にて、凹凸の影響を軽減することができ、天井１１０の取付孔１１０ａよりも小さい取付孔１２０ａ用の照明装置１００を天井１１０に所定の向き及び支持力にて安定して支持することができる。
【０１１０】
取付部材である天井１１０が石膏等の比較的脆い材料製である場合、以上のように構成された取付補助部材３０を用いることにより、照明装置１００から天井１１０に付加される力が取付補助部材３０を介して取付孔１１０ａの周縁部に周方向に略等しく分散して作用するから、取付孔１１０ａの損傷を防止することができ、取付補助部材３０を取付孔１１０ａの補強部材としても用いることができる。
【０１１１】
また、前述したように、取付孔１１０ａに天井１１０の下面１１０ｃの側から挿通させることが可能に構成してあるから、照明装置１００の取替作業を容易に行うことができる。
【０１１２】
さらに支持フレーム１８を板状にしてあるから、天井１１０の板厚が薄い場合（天井材がアルミニウム又はステンレス鋼の一枚構造の場合）にも対応することができる。
【０１１３】
カバー３ａに一体化された保持具２ａ，２ａ…の係合板部２３，２３…を支持フレーム１８に設けた係合孔１８ｂ，１８ｂ…に挿入して、係合板部２３，２３…を折り曲げて係合孔１８ｂ，１８ｂ…に係合させているから、カバー３ａ及び支持フレーム１８により天井１１０を挟持して支持フレーム１８が取付孔１１０ａから外れないように保持することができる。この場合において、仮にカバー３ａに下方への引張力が作用したとしても、係合板部２３と係合孔１８ｂとの係合が解除されることはない。
【０１１４】
なお、取付補助部材３０を取り外す場合は、まずカバー３ａの環状部３５と円板部３１との連結部（図２１における３５ａ）からフレーム７との間をこじあけ、開いた隙間に指をかけてフレーム７を下方に引き降ろす。これにより、板ばね８が途中まで抜ける。次に板ばね８を放熱器４の方へ倒しながらゆっくりと取付孔１１０ａから抜き取ることにより、照明装置１００を天井１１０の取付孔１１０ａから取り外すことができる。次に取付孔１１０ａから手を入れて、係合板部２３を図２３中の２点鎖線にて示す状態から実線にて示す状態になるまで伸ばした後、カバー３ａと共に下方に引き抜くことにより、カバー３ａ及び保持体２ａ，２ａ…を取外すことができる。支持フレーム１８を軽く曲げた状態にて取付孔１１０ａを挿通させることにより、支持フレーム１８を取り外すことができる。
【０１１５】
以上の構成により、照明装置１００を天井１１０に取り付けるときに支持フレーム１８が取付孔１１０ａから天井１１０の裏側に抜けてしまわないようにすることができる。係合により支持フレーム１８を固定しているから、工具が不要であり、作業性が良い。また、カバー３ａに保持具２ａ，２ａ…を一体的に設けているから、作業中に保持具２ａ，２ａ…を紛失することを防止することができ、作業性が向上する。
【０１１６】
また、カバー３ａにより取付孔１１０ａ及び照明装置１００間の隙間を覆っているから、美観に資する。
【０１１７】
また、カバー３ａの内周縁に突設部３４を設けているから、カバー３ａの剛性を高くすることができ、反りや捩れが生じにくくなると共に、照明装置１００を天井１１０に取付けたときに、板ばね８，８…の屈曲部８２，８２…がカバー３ａ上に移動することを防止することができ、天井１１０の取付孔１１０ａからの照明装置１００の取り外しが容易となる。
【０１１８】
なお、本実施の形態の如く、保持具をカバーに取付け、保持具と支持フレームとを係合させ、カバーと支持フレームとにより天井を挟持して支持フレームが取付孔１１０ａから外れないように保持する構成は、実施の形態１に係る取付補助部材１０にも適用することが可能である。
【０１１９】
なお、実施の形態２及び３においては、支持フレームの形状を円板状としたが、これに限定されず、矩形板状、多角板形状でもよい。
【０１２０】
なお、以上の実施の形態においては、照明装置の取付具である板ばねを３つ用いた例について述べたが、これに限定されない。板ばねが２つ、又は４以上の場合であっても、板ばねの数に応じて、支持フレーム１の凹部１４，１４…、支持フレーム１６の凹部１６ｂ，１６ｂ…を適切に設けることにより適用は可能である。
【０１２１】
また、以上の実施の形態においては、取付具として板ばねを用いている照明装置に適用した例について述べたが、これに限定されず、特許文献１に開示された取付用アジャスターのように点支持にて天井に保持される型の照明装置にも適用することが可能である。
【０１２２】
また、以上の実施の形態において、支持フレームの抜け止めとして用いられる保持具は略Ｌ字状を有する板状であるが、これに限定されず、支持フレームの係合部に係合可能な形状であればよい。
【０１２３】
また、以上の実施の形態においては、光源として複数のＬＥＤ素子が実装されてなるＬＥＤモジュール３，３…を用いているが、これに限定されず、高輝度のＬＥＤチップ、ＥＬ（Ｅｌｅｃｔｒｏ  Ｌｕｍｉｎｅｓｃｅｎｃｅ）、蛍光灯、電球等を用いてもよい。
【０１２４】
さらに、以上の実施の形態おいては、ダウンライトに取付補助部材を用いた例について述べたが、ダウンライトに限定されず、他のタイプのストレート形状、スクウェア形状の矩形状の照明装置、照明装置以外の天井等の取付部材に設置される空調機器等の機器にも本発明に係る取付補助部材は適用可能であり、その他、特許請求の範囲に記載した事項の範囲内において種々変更した形態にて実施することが可能であることは言うまでもない。
【図面の簡単な説明】
【０１２５】
【図１】本発明の実施の形態１に係る取付補助部材の分解斜視図である。
【図２】支持フレームの模式的平面図である。
【図３】図２の III−III 線による部分拡大断面図である。
【図４】保持具の模式的外観斜視図である。
【図５】カバーの模式的平面図である。
【図６】図５のVI−VI線による模式的断面図である。
【図７】取付補助部材の取付状態を示す模式的平面図である。
【図８】図７のVIII−VIII線による部分拡大断面図である。
【図９】実施の形態１に係る取付補助部材を用いて天井の取付孔に取付けられた照明装置の取付状態を示す外観斜視図である。
【図１０】分解斜視図である。
【図１１】図９のXI−XI線による模式的断面図である。
【図１２】照明装置の取付補助部材及び天井への取付部分の拡大断面図である。
【図１３】本発明の実施の形態２に係る取付補助部材の分解斜視図である。
【図１４】支持フレームの模式的平面図である。
【図１５】取付補助部材の取付状態を示す模式的平面図である。
【図１６】図１５の XVI−XVI 線による部分拡大断面図である。
【図１７】実施の形態２に係る取付補助部材を用いて天井の取付孔に取付けられた照明装置の取付状態を示す外観斜視図である。
【図１８】本実施の形態３に係る取付補助部材の支持フレームの模式的平面図である。
【図１９】保持具の模式的外観斜視図である。
【図２０】カバーの模式的平面図である。
【図２１】カバーの模式的側面図である。
【図２２】取付補助部材の取付状態を示す模式的平面図である。
【図２３】図２２の XXIII−XXIII 線による部分拡大断面図である。
【図２４】実施の形態３に係る取付補助部材を用いて天井の取付孔に取付けられた照明装置の取付状態を示す部分断面拡大図である。
【符号の説明】
【０１２６】
１，１６，１８  支持フレーム
１１  基部
１２  支持板部
１２ａ，１６ｄ，１８ｃ  一面（当接面）
１３ａ  係合孔
１３ｂ  係合突起
１４，１６ｂ  凹部
１５  押圧片（係合部）
１５ａ  矩形孔
１８ｂ  係合孔（係合部）
１６ｃ  スリット
２，２ａ  保持具
２１，２３  係合板部
２２ａ  一面（当接面）
３，３ａ  カバー
【図１】
2010034020.tif 000003
【図２】
2010034020.tif 000004
【図３】
2010034020.tif 000005
【図４】
2010034020.tif 000006
【図５】
2010034020.tif 000007
【図６】
2010034020.tif 000008
【図７】
2010034020.tif 000009
【図８】
2010034020.tif 000010
【図９】
2010034020.tif 000011
【図１０】
2010034020.tif 000012
【図１１】
2010034020.tif 000013
【図１２】
2010034020.tif 000014
【図１３】
2010034020.tif 000015
【図１４】
2010034020.tif 000016
【図１５】
2010034020.tif 000017
【図１６】
2010034020.tif 000018
【図１７】
2010034020.tif 000019
【図１８】
2010034020.tif 000020
【図１９】
2010034020.tif 000021
【図２０】
2010034020.tif 000022
【図２１】
2010034020.tif 000023
【図２２】
2010034020.tif 000024
【図２３】
2010034020.tif 000025
【図２４】
2010034020.tif 000026